(57)【特許請求の範囲】
【請求項１】
一方向に走査電極パターンが配列された走査側基板と、他方向に信号電極パターンが配列された信号側基板とを液晶層を介して対向配置させて双方の電極パターンを交差させて表示領域となすとともに、前記信号電極パターンを２つに分割して、走査電極数を２ｎ本とした２画面分割式の液晶パネルと、前記走査電極パターンの一方画面分を駆動する一方画面走査電極駆動回路と、前記走査電極パターンの他方画面分を駆動する他方画面走査電極駆動回路と、前記信号電極パターンの一方画面分を駆動する一方画面信号電極駆動回路と、前記信号電極パターンの他方画面分を駆動する他方画面信号電極駆動回路と、前記液晶パネルを駆動するための所定の電圧を発生させる駆動用電源回路と、を有した液晶表示装置であって、
一方画面の走査電極本数ｎに対し、その駆動デューティが１／（ｎ＋α）であるデューティ駆動を行った際に、１／（ｎ＋α）のデューティ駆動を行った直後のフレーム期間の最初に選択される他方画面の走査電極の選択期間中に、当該最初に選択される他方画面の走査電極に対し、当該選択期間よりも短い所定の期間だけ非選択時の電圧を印加するとともに、
一方画面の走査電極本数ｎに対し、その駆動デューティが１／ｎであるデューティ駆動を行った際に、１／ｎのデューティ駆動を行った直後のフレーム期間の最初に選択される他方画面の走査電極の選択期間中に、当該最初に選択される他方画面の走査電極に対し、当該選択期間よりも短い所定の期間だけ非選択時の電圧を印加しない、液晶表示装置の駆動方法。
【請求項２】
駆動デューティが１／（ｎ＋α）であるデューティ駆動を行った際に、１／（ｎ＋α）のデューティ駆動を行った直後のフレーム期間の最初に選択される他方画面の走査電極の選択期間中の最初または最後に、当該最初に選択される他方画面の走査電極に対し、当該選択期間よりも短い所定の期間だけ非選択時の電圧を印加する、請求項１に記載の液晶表示装置の駆動方法。
【発明の詳細な説明】
【０００１】
【発明の属する技術分野】
本発明は、液晶表示装置の駆動方法に関するものである。
【０００２】
【従来の技術】
Ａ．Ｐ．（Ａｌｔ  Ｐｌｅｓｈｋｏ）法により駆動される２画面分割方式の単純マトリクス型液晶表示装置の構成例を図６に示す。
【０００３】
同図によれば、一方向に配列された走査電極パターンと配向膜とが順次積層された走査側基板と、他方向に配列され、その中央部で分割された信号電極パターンと配向膜とが順次積層された信号側基板とを液晶層を介して対向配置させて双方の電極パターンを交差させて方形状の表示領域となし、そして、全走査電極本数が２ｎ本である上下２画面分割式の液晶パネル１と、上画面の走査電極を駆動する上画面走査電極駆動回路２と、下画面の走査電極を駆動させる下画面走査電極駆動回路３と、上画面の信号電極を駆動する上画面信号電極駆動回路４と、下画面の信号電極を駆動する下画面信号電極駆動回路５と、液晶パネル１を駆動するための所定の電圧を発生させる駆動用電源回路６からなる。
【０００４】
制御信号である走査開始信号ＦＲＭ、走査クロックＬＰおよびデータラッチパルスＬＰ、交流化信号ＤＦ、データシフトクロックＣＰ、表示データ、表示信号ＤＩＳＰは外部より供給される。
【０００５】
駆動用電源回路６は、走査電極駆動回路３に走査電極の選択電圧ＶＨ、ＶＬおよび非選択電圧ＶＭを、信号電極駆動回路４、５には信号電極の表示のＯＮ／ＯＦＦに対応したＶ０、Ｖ１、および中間電圧ＶＭを供給する。非選択電圧ＶＭと中間電圧ＶＭは同一の電圧である。
【０００６】
つぎに液晶表示装置に図６の様な表示をさせた場合の駆動回路の動作を図７と図８により説明する。図７は制御信号のタイミングを示し、図８は動作の理想波形を示す。
【０００７】
走査開始信号ＦＲＭの立上がりの入力後、最初の走査クロックの立下りに同期して上下各画面の走査電極駆動回路３は各画面の１番目の走査電極Ｘ１およびＸ１’に選択電圧を印加（これを「選択」と称す）する。選択電圧は交流化信号ＤＦに応じて電圧ＶＨ、電圧ＶＬのいずれか一方となる。
【０００８】
同時に信号電極駆動回路は取り込まれている表示データの内容および交流化信号ＤＦに応じてＹ１〜Ｙｍ全ての電極に電圧Ｖ０、Ｖ１のいずれか一方を出力し、それと同時に、つぎの表示データをデータシフトクロックＣＰに同期して取り込む。
【０００９】
このような走査電極駆動回路と信号電極駆動回路の出力は、つぎの走査クロックＬＰの立下りまでの期間持続され、つぎの走査クロックが入力されると今度は走査電極Ｘ２およびＸ２’が選択され、信号電極駆動回路は取り込まれている表示データの内容に応じてＹ１〜Ｙｍ全ての電極に電圧Ｖ０、Ｖ１のいずれかを出力し、その後、順次Ｘ３およびＸ３'、・・・ＸｉおよびＸｉ’と順に選択されていく。選択されていない他の走査電極には非選択電圧ＶＭが印加されている。
【００１０】
そして、各画面の最後の走査電極ＸｎおよびＸｎ’まで選択された後、走査開始信号ＦＲＭが入力されると、再び各画面の１番上の走査電極から順次選択されていく、という動作を繰り返す。この走査開始信号ＦＲＭが入力され、つぎの走査開始信号ＦＲＭが入力されるまでの期間をフレーム期間という。
【００１１】
表示信号ＤＩＳＰが入力されていない場合には走査電極駆動回路と信号電極駆動回路の出力は強制的に電圧ＶＭに固定されるが、それ以外の走査電極駆動回路と信号電極駆動回路の内部の動作は表示信号ＤＩＳＰの有無に関わらず行われている。
【００１２】
以上の動作から、Ｙｊライン上の画素が図６に示すように黒丸印と白丸印にて表示を行っている場合の駆動回路動作時の理想波形は図８に示すようになる。
【００１３】
【発明が解決しようとする課題】
しかしながら、液晶パネル１はＩＴＯ電極と液晶容量からなるＲＣの分布定数回路で等価的に表されるので、実際の駆動波形には歪みやなまり等が生じていた。
【００１４】
また、近年、単純マトリクス型の液晶表示装置では太陽光の下や暗所の双方の使用環境にて使用できるように、液晶パネルの内部に半透過膜を設けた構成が提示され、その半透過膜は膜の材料として誘電体等が用いられることが多く、このような半透過膜を用いたことによっても、駆動波形には歪みやなまり等が生じていた。
【００１５】
以下、この課題を詳述する。
はじめに、半透過膜を設けた液晶パネルについて、図１０により説明する。
同図は半透過型カラータイプの液晶パネルの断面図を示す。
【００１６】
走査側基板８と信号側基板９とをシール部１０でもって貼り合わせた構造であり、シール部１０にて囲まれる領域内に液晶層１１が封入されている。
【００１７】
シール部１０はエポキシ系、アクリル系、シリコーン系などの熱硬化樹脂からなるが、このような構造は走査側基板８と信号側基板９とをシール剤を介して接着し、さらに位置合わせすることで空間を設け、このシール剤を加熱し硬化させることでシール部１０となす。
【００１８】
この空間を設ける際には走査側基板８と信号側基板９の間に樹脂状球体からなる非導電性のスペーサ１２を分散散布させ、これによって両基板間隔を一定にして、その内部に液晶層１１が封入されている。
【００１９】
上記信号用基板９の上には複数の信号電極１３が平行に配列され、その配列パターンはシール部１０の外まで延在している。
【００２０】
他方の走査側基板８上には半透過膜２１が形成されており、たとえば１μｍ程度の厚みの誘電体からなる。その上にカラーフィルター１４とオーバーコート１５とが順次形成され、その上に複数の走査電極１６が平行に配列され、その配列パターンがシール部１０の外側まで延在している。
【００２１】
カラーフィルター１４は透明樹脂等に染料、顔料等の赤（Ｒ）、緑（Ｇ）、青（Ｂ）の着色材を均一に分散させた各色のカラーレジン液を塗布、フォトリソグラフィー法にてパターニングする分散法等にて形成される。
【００２２】
オーバーコート１５はカラーフィルター１４を保護したり、さらには着色材が液晶層１１への溶出しないよう防ぐためのものであって、透明樹脂からなる。
【００２３】
信号用基板９と走査側基板８とを貼り合わせるに当たっては、信号電極１３と走査電極１６とが直交するように配置され、これら電極が交差する領域が方形状の表示領域となる。
【００２４】
信号電極１３および走査電極１６はＩＴＯ（Ｉｎｄｉｕｍ  Ｔｉｎ  Ｏｘｉｄｅ）などから構成される。そして、信号電極１３および走査電極１６上にはポリイミド系樹脂の配向膜１７を被覆している。
【００２５】
シール部１０の外側に延在した信号電極１３と走査電極１６には、それぞれ信号電極駆動回路および走査電極駆動回路が接続されており、これらの回路を通して液晶パネルが駆動される。
【００２６】
そして、走査用基板１６および信号用基板９の外側には、それぞれ光学補償用の位相差板１８および偏光板１９が配置され、さらに液晶パネルの走査側基板側にはバックライトシステム２０が配置され、そして、表示領域内の画素のＯＮ（オン）、ＯＦＦ（オフ）によりバックライトシステム２０からの光が通過または遮断され、表示状態と成す。
【００２７】
以上のような半透過型の液晶パネルでは、透過型のパネルにおける太陽光下等の強い光の下での視認性の低下を、太陽光を半透過膜にて反射させることで解消できる。一方、暗いところでもバックライトシステム２０を点灯させることで表示を行うことができる。
【００２８】
しかしながら、この半透過膜２１に用いられる誘電体によって液晶パネルの走査電極間の線間容量が大きくなり、液晶表示装置の駆動時には各電極は隣接する電極の印加電圧の立ち上がり、立ち下りによるノイズ干渉を受け、そのために実際には図９に示すような駆動回路動作時の波形となる。
【００２９】
すなわち、走査電極Ｘｉ+１は、それ自身が選択される直前に選択されていた走査電極Ｘｉの選択電圧の立ち上がりに伴うノイズが走査電極Ｘｉ+１に印加されてしまう。同図には選択電圧の立ち上がりに伴うノイズしか示していないが、実際には立下りに伴うノイズが立ち上がりに伴うノイズの電圧とは逆の方向に印加され、その分、走査電極Ｘｉ+１自身の立ち上がりがなまっていた。
【００３０】
さらに詳述すると、液晶表示装置を駆動する際、通常は１画面の走査電極本数と駆動デューティ比は同じで、走査電極本数がｎ本であれば、その駆動デューティ比は１／ｎである。たとえば８００×６００ドットの２画面分割式の液晶表示装置であれば、２画面中の１画面の走査電極本数は３００本で、その駆動デューティ比は１／３００となる。制御信号では１フレーム周期内に走査クロックＬＰが３００パルス存在する。
【００３１】
しかしながら、液晶表示装置を搭載している電子機器においては液晶表示装置だけでなく、同時にＣＲＴを表示させたり、液晶表示装置とＣＲＴを切り替えて表示させたりすることがあり、そのために制御回路は液晶表示装置およびＣＲＴを両方とも動作させることができるようになっていることが多い。そこで、制御信号の走査開始信号ＦＲＭと、走査クロックＬＰは、図１１に示すように、１フレーム周期内に毎回同数の走査クロックＬＰが存在せず、ｎパルス、ｎ+αパルス交互（αは正の整数、ｎは図６の１画面分の走査電極本数ｎと同じ）に存在させている。
【００３２】
これはサイマルスキャンと称されるが、ＣＲＴと液晶表示装置を同時に動作させる際に使用される技術である。
【００３３】
たとえば、ｎ＝３００、ｎ+α＝３０２である場合、その駆動デューティー比は１／３００と１／３０２の交互になる。走査クロックＬＰが３０２パルスあるフレーム周期では１〜３００パルスまでは１番目の走査電極から順に３００番目の走査電極まで選択されていくが、３０１、３０２パルス目には３０１番目および３０２番目の走査電極が存在しないので、この期間は全ライン非選択の状態となる。
【００３４】
また、走査クロックが毎回ｎ+αパルス存在するような場合もあり、この場合は駆動デューティーが１／３０２となる。
【００３５】
しかしながら、上記のサイマルスキャン等で液晶パネルを動作させた場合には、下記のような課題がある。この課題を図１２（ａ）と（ｂ）でもって選択電圧がＶＨの時の場合にて説明する。
【００３６】
図１２（ａ）に示すように、ｎ個走査クロックＬＰが存在する期間においては１フレーム期間の上画面の最後に選択される走査電極Ｘｎが選択された後、そのすぐ隣の下画面の走査開始電極である走査電極Ｘ１’が選択され、そのために、全ての走査電極は隣接する走査電極が選択された後すぐに選択され、全ての走査電極は隣接する走査電極からノイズ干渉を受けるものの、その大きさが同じであり影響はないと言える。
【００３７】
しかしながら、ｎ+αパルス走査クロックが存在する期間には、走査電極Ｘｎが選択された後、走査電極Ｘ１’はすぐに選択されないため、走査電極Ｘ１’は他の走査電極に比べて隣接する走査電極（＝走査電極Ｘｎ）から受けるノイズ干渉の内、特に選択電圧の立下りによるものが図１２（ｂ）に示すように選択電圧の立上がりと重ならないため、ｎパネル走査クロックが存在する期間よりも選択電圧の立上がりが急峻になる。そのため、走査電極Ｘ１’上の画素には他の走査電極上の画素よりも大きな電圧が印加されてしまい、走査電極Ｘ１’上の画素が周りよりも白く点灯し、白いスジのように見えていた。
【００３８】
また、走査クロックが毎回ｎ+αパルス存在する場合においては、走査電極Ｘ１’の走査電極Ｘｎから受けるノイズ干渉が毎フレーム期間、他のラインとは異なるため、やはり走査電極Ｘ１’上の画素が周りよりも白く点灯し、白いスジのように見えていた。
【００３９】
したがって本発明は叙上に鑑みて完成されたものであり、その目的は２画面分割方式の単純マトリクス型液晶表示装置において、両画面の境目に生じる白線状のスジを解消した液晶表示装置の駆動方法を提供することにある。
【００４０】
【課題を解決するための手段】
本発明の液晶表示装置の駆動方法は、一方向に走査電極パターンが配列された走査側基板と、他方向に信号電極パターンが配列された信号側基板とを液晶層を介して対向配置させて双方の電極パターンを交差させて表示領域となすとともに、前記信号電極パターンを２つに分割して、走査電極数を２ｎ本とした２画面分割式の液晶パネルと、前記走査電極の一方画面分を駆動する一方画面走査電極駆動回路と、前記走査電極の他方画面分を駆動する他方画面走査電極駆動回路と、前記信号電極の一方画面分を駆動する一方画面信号電極駆動回路と、前記信号電極の他方画面分を駆動する他方画面信号電極駆動回路と、前記液晶パネルを駆動するための所定の電圧を発生させる駆動用電源回路と、を有した液晶表示装置であって、一方画面の走査電極本数ｎに対し、その駆動デューティが１／（ｎ＋α）であるデューティ駆動を行った際に、１／（ｎ＋α）のデューティ駆動を行った直後のフレーム期間の最初に選択される他方画面の走査電極の選択期間中に、当該最初に選択される他方画面の走査電極に対し、当該選択期間よりも短い所定の期間だけ非選択時の電圧を印加するとともに、一方画面の走査電極本数ｎに対し、その駆動デューティが１／ｎであるデューティ駆動を行った際に、１／ｎのデューティ駆動を行った直後のフレーム期間の最初に選択される他方画面の走査電極の選択期間中に、当該最初に選択される他方画面の走査電極に対し、当該選択期間よりも短い所定の期間だけ非選択時の電圧を印加しない。
【００４１】
本発明の他の液晶表示装置の駆動方法は、駆動デューティが１／（ｎ＋α）であるデューティ駆動を行った際に、１／（ｎ＋α）のデューティ駆動を行った直後のフレーム期間の最初に選択される他方画面の走査電極の選択期間中の最初または最後に、当該最初に選択される他方画面の走査電極に対し、当該選択期間よりも短い所定の期間だけ非選択時の電圧を印加することが好ましい。
【００４２】
本発明の他の液晶表示装置の駆動方法によれば、２画面中の１画面の走査電極本数ｎに対し、その駆動デューティが１／（ｎ＋α）であるデューティ駆動を行った際に、１／（ｎ＋α）のデューティー駆動を行った直後のフレーム期間の最初に選択される他方画面の走査電極の選択期間中の最後に、１ラインの選択期間より短い所定の期間だけ非選択時の電圧を印加することで、すなわち、前述と比べても選択期間中に非選択電圧を印加するタイミングが異なるだけであることから、同様に走査電極Ｘ１’上の画素の印加電圧を増加分だけ減らすことができ、これによって走査電極Ｘ１’上の画素も周囲の画素と同様の表示をさせ、その結果、２画面の境目に生じる白線状のスジを解消できる。
【００４３】
【発明の実施の形態】
以下に本発明の実施の形態を図面に基づいて説明する。
（例１）
図１は本発明による液晶表示装置の概略を示す図である。なお、図６に示す従来の液晶表示装置と同一個所には同一符号を付す。
【００４４】
一方向に配列された走査電極パターンと配向膜とが順次積層された走査側基板と、他方向に配列され、その中央部で分割された信号電極パターンと配向膜とが順次積層された信号側基板とを液晶層を介して対向配置させて双方の電極パターンを交差させて方形状の表示領域となす。
【００４５】
全走査電極本数が２ｎ本である上下２画面分割式の液晶パネル１と、走査電極のうち前記一方画面分である上画面の走査電極を駆動する前記一方画面走査電極駆動回路である上画面走査電極駆動回路２と、前記他方画面である下画面の走査電極を駆動させる前記他方画面走査電極駆動回路である下画面走査電極駆動回路３と、信号電極のうち上画面の信号電極を駆動する前記一方画面信号電極駆動回路である上画面信号電極駆動回路４と、下画面の信号電極を駆動する前記他方画面信号電極駆動回路である下画面信号電極駆動回路５と、液晶パネル１を駆動するための所定の電圧を発生させる駆動用電源回路６、走査開始信号ＦＲＭと走査クロックＬＰをカウントし、その結果に応じて表示信号ＣＤＩＳＰを出力するカウント回路７とからなる。
【００４６】
制御信号である走査開始信号ＦＲＭ、走査クロックＬＰおよびデータラッチパルスＬＰ、交流化信号ＤＦ、データシフトクロックＣＰ、表示データ、表示信号ＤＩＳＰは外部より供給される。
【００４７】
上画面走査電極駆動回路２および下画面走査電極駆動回路３には走査開始信号ＦＲＭ、走査クロックＬＰおよび交流化信号ＤＦが入力され、また、上画面走査電極駆動回路２には表示信号ＤＩＳＰが、下画面走査電極駆動回路３には後述のカウント回路の出力である表示信号ＣＤＩＳＰが入力される。
【００４８】
また、上画面信号電極駆動回路４および下画面信号電極駆動回路５には表示データ、データシフトクロックＣＰ、データラッチパルスＬＰ（走査クロックと同一）および表示信号ＤＩＳＰが入力される。
【００４９】
表示信号ＤＩＳＰ、ＣＤＩＳＰは、それぞれが入力される走査電極駆動回路および信号電極駆動回路を電圧ＶＭに制御する信号である。
【００５０】
カウント回路７は走査開始信号ＦＲＭ、走査クロックをカウントして、さらに表示信号ＤＩＳＰがＯＮであれば、そのカウント結果に応じて下画面走査電極駆動回路３の表示信号ＣＤＩＳＰを出力する。
【００５１】
つぎに図１に示すように黒丸印と白丸印にて表示を行っている場合の駆動回路動作時の動作を図２と図３により説明する。図２は制御信号のタイミングを示し、図３は実際の動作波形を示す。
【００５２】
カウント回路７は走査開始信号ＦＲＭのパルスが入力された後、そのフレーム周期内の走査クロックＬＰのパルス数をカウントする。そして、そのフレーム周期内にカウントされた走査クロックＬＰの数が、１画面の走査電極本数と同じ数の時は出力する表示信号ＣＤＩＳＰはＯＮし続ける。一方、１フレーム周期内にカウントされた走査クロックＬＰの数が１画面の走査電極本数よりも多い場合には、次のフレーム周期の最初の走査クロックＬＰをカウントした直後に表示信号ＣＤＩＳＰを所定の期間だけＯＦＦさせる。これらを図示すると図２に示すとおりである。
【００５３】
なお、表示信号ＤＩＳＰがＯＦＦの場合はいかなる場合も表示信号ＣＤＩＳＰはＯＦＦである。
【００５４】
以上のような動作により、下画面走査電極駆動回路３の駆動波形は走査クロックＬＰが１画面の走査電極本数と同数の場合には図３（ａ）に示すように従来と同じであるが、走査クロックＬＰが走査電極本数よりも多い場合においては、図３（ｂ）に示すように下画面の１番上の走査電極だけ、その選択期間の内、所定の期間非選択電圧ＶＭが出力される。
【００５５】
たとえば、前述の８００×６００ドット２画面分割式の液晶表示装置であれば、１フレーム周期内に走査クロックが３００パルスある期間の直後には表示信号ＣＤＩＳＰはＯＦＦせず、１フレーム期間内に走査クロックが３０２パルス等、３００パルスよりも多い場合にはそのフレーム期間の次のフレーム期間の最初に選択される下画面の１番上の走査電極だけ、その選択期間中の所定の期間表示信号ＣＤＩＳＰがＯＦＦすることにより非選択電圧が出力される。
【００５６】
この表示信号ＣＤＩＳＰのＯＦＦ期間については、液晶表示装置によってその都度決定する。具体的には走査電極Ｘ１’上の画素が周囲の画素の表示と同等となるようにすればよい。
【００５７】
かくして本発明の液晶表示装置においては、かかる動作により走査電極Ｘ１’上の画素も周囲の画素と同等の表示となり、従来の如く両画面の境目に生じていた白線状のスジがなくなり、上画面と下画面の境目がなくなり、高品位な表示を得ることができた。
【００５８】
（例２）
つぎに本発明の他の駆動方法を説明する。なお、本例においても図１に示す液晶表示装置でもって説明する。
【００５９】
図４はその制御信号図であり、図５はその波形図である。
本例では走査開始信号ＦＲＭ、走査クロックＬＰをカウントして下画面走査電極駆動回路の表示信号ＣＤＩＳＰを出力する点は（例１）と同じであるが、表示信号ＣＤＩＳＰを停止する期間を走査電極Ｘ１’の選択期間の最初にしたことに代えて、最後にしている。その他は、（例１）と同様に走査電極Ｘ１’上の画素も周囲の画素と同等の表示となり、その結果、上画面と下画面の境目のない高品位な表示を得ることができた。
【００６０】
（好適例１）
以上のとおり、２画面分割方式の単純マトリクス型液晶表示装置において、本発明の駆動方法により両画面の境目に生じる白線状のスジを解消することができたが、歪みやなまり等が生じやすい誘電体等が用いた半透過膜を設けた液晶パネルにおいて顕著な効果を奏する。
【００６１】
本例の半透過膜を設けた液晶パネルについては、図１０に示す構成と同一であることから、その詳細は省略する。
【００６２】
（好適例２）
また、前述したとおり、液晶表示装置を搭載している電子機器においては液晶表示装置だけでなく、同時にＣＲＴを表示させたり、液晶表示装置とＣＲＴを切り替えて表示させたりすることがあり、そのために制御回路は液晶表示装置およびＣＲＴを両方とも動作させる構成であり、この構成に対しサイマルスキャン技術を用いるが、このような技術に対し、もっとも好適であり、２画面の境目に生じる白線状のスジをもっとも効果的に解消することができた。
【００６３】
なお、本発明は上記実施形態例に限定されるものではなく、本発明の要旨を逸脱しない範囲内で種々の変更や改良は何ら差し支えない。たとえば上記実施例では液晶パネルは上下２画面式であるが、これに代えて左右２画面式であってもよい。
【００６４】
【発明の効果】
以上のとおり、本発明の液晶表示装置の駆動方法によれば、２画面分割方式の単純マトリクス型液晶表示装置において、２画面中の１画面の走査電極本数ｎに対し、その駆動デューティが１／（ｎ＋α）であるデューティ駆動を行った際に、１／（ｎ＋α）のデューティー駆動を行った直後のフレーム期間の最初に選択される他方画面の走査電極の選択期間中の初めに、１ラインの選択期間より短い所定の期間だけ非選択時の電圧を印加するようにしたことで、もしくは１／（ｎ＋α）のデューティー駆動を行った直後のフレーム期間の最初に選択される他方画面の走査電極の選択期間中の最後に、１ラインの選択期間より短い所定の期間だけ非選択時の電圧を印加することで、２画面の境目に生じる白線状のスジを解消でき、高品位な表示の液晶表示装置が提供できた。
【図面の簡単な説明】
【図１】本発明に係る液晶表示装置の概略構成を示す説明図である。
【図２】本発明の駆動方法における制御信号のタイミングを示す図である。
【図３】本発明の駆動方法にて走査電極駆動回路を駆動した時の実際の波形を示す図である。
【図４】本発明の駆動方法における制御信号のタイミングを示す図である。
【図５】本発明の駆動方法にて走査電極駆動回路を駆動した時の実際の波形を示す図である。
【図６】従来の液晶表示装置の概略を示す説明図である。
【図７】従来の駆動方法における制御信号のタイミングを示す図である。
【図８】従来の駆動方法にて走査電極駆動回路を駆動した時の理想波形を示す図である。
【図９】従来の駆動方法にて走査電極駆動回路を駆動した時の実際の波形を示す図である。
【図１０】半透過型カラー液晶パネルの構造を示す断面概略図である。
【図１１】サイマルスキャンに係る波形の説明図である。
【図１２】サイマルスキャン時の駆動波形を示す図である。
【符号の説明】
１…２画面分割式液晶パネル
２…上画面走査電極駆動回路
３…下画面走査電極駆動回路
４…上画面信号電極駆動回路
５…下画面走査電極駆動回路
６…駆動用電源回路
７…カウント回路
８…走査側基板
９…信号側基板
１０…シール部
１１…液晶層
１２…スペーサ
１３…信号電極
１４…カラーフィルター
１５…オーバーコート
１６…走査電極
１７…配向膜
１８…位相差板
１９…偏光板
２０…バックライトシステム
２１…半透過膜
【図１】
0004703001.tif 000002
【図２】
0004703001.tif 000003
【図３】
0004703001.tif 000004
【図４】
0004703001.tif 000005
【図５】
0004703001.tif 000006
【図６】
0004703001.tif 000007
【図７】
0004703001.tif 000008
【図８】
0004703001.tif 000009
【図９】
0004703001.tif 000010
【図１０】
0004703001.tif 000011
【図１１】
0004703001.tif 000012
【図１２】
0004703001.tif 000013